【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
光送信機、
光ファイバから光学信号を受信する光検知器であって、光ファイバの芯の直径と略等しい直径の入力表面を有することにより、静電容量及び信号歪が小さい光検知器、
第１のポートと、光ファイバによって光検知器に連結された第２のポートと、光送信機に連結された第３のポートとを有する光学スプリッタであって、第１のポートで第１の光学信号を受信し、第１の光学信号を第２のポートへ送信し、且つ第３のポートで受信した第２の光学信号を第１のポートへ送信する光学スプリッタ、並びに
光検知器の出力に接続された二段増幅器システムであって、制限増幅器と接続された相互インピーダンス増幅器を有する二段増幅器システム
を備えた装置。
【請求項２】
光検知器と、光検知器の出力に接続された二段増幅器システムとが光受信機を形成しており、光受信機の感度の値が約−３２デシベルミリワット以下である、請求項１に記載の装置。
【請求項３】
光学スプリッタが発光ダイオードとドライバ増幅器とを含み、該ドライバ増幅器が発光ダイオードにバイアス電流と変調電流とを送るように構成され、該発行ダイオードが少なくとも平均約１ミリワットの光強度を有する信号を生成することによって、該信号が第２の光ファイバに連結される、請求項１に記載の装置。
【請求項４】
発光ダイオードが、約６５０ナノメートル、約５００ナノメートル、及び約４５０ナノメートルから選択された一つの波長を有する信号を発信する、請求項３に記載の装置。
【請求項５】
光学スプリッタが第２の光学信号を第３のポートに送信する、請求項１に記載の装置。
【請求項６】
光ファイバが第１の光ファイバであり、第１のポートが第２の光ファイバを受けるように構成され、第１の光ファイバ及び第２の光ファイバが、プラスチック光ファイバ及びガラス光学ファイバから選択される一つである、請求項１に記載の装置。
【請求項７】
光検知器が、ｎ型層の上の真性層の上にｐ型層を有するダイオード、及び光子を検知するように構成されたショットキーバリアダイオードから選択される一つである、請求項１に記載の装置。
【請求項８】
光検知器と、光検知器の出力に接続された二段増幅器システムとが光受信機を形成しており；光受信機の感度の値が約−３２デシベルミリワット以下であり；光送信機が発光ダイオードと増幅器とを含んでおり；増幅器がバイアス電流と変調電流とを発光ダイオードに送るように構成されており；発光ダイオードが少なくとも平均約１ミリワットの光強度を有する信号を生成し；信号が光ファイバに連結されており；発光ダイオードが、約６５０ナノメートル、約５００ナノメートル、及び約４５０ナノメートルから選択された一つの波長を有する信号を発信し；光送信機が第３のポートに第２の光学信号を送信するように構成されており；光ファイバが第１の光ファイバであり；第１のポートが第２の光ファイバを受けるように構成されており；第１の光ファイバ及び第２の光ファイバが、プラスチック光ファイバ及びガラス光学繊維から選択された一つであり；光検知器が、ｎ型層の上の真性層の上にｐ型層を有するダイオード、及び光子を検知するように構成されたショットキーバリアダイオードから選択された一つであり；且つ二弾指揮増幅器システムが、制限増幅器に接続された相互インピーダンス増幅器を含んでいる、請求項１に記載の装置。
【請求項９】
プラスチック光ファイバから光学信号を受信する光検知器であって、入力表面の直径がプラスチック光ファイバの芯の直径と略等しいことにより、静電容量と信号歪とが小さい光検知器、並びに
光検知器の出力に接続されて光受信機を形成する二段増幅器システムであって、光受信機の感度の値が約−３２デシベルミリワット以下である二段増幅器システム
を備えた装置。
【請求項１０】
光学信号の処理方法であって、
光検知器の入力表面において光ファイバから第１の光学信号を受け取るステップであって、光検知器の入力表面の直径が光ファイバの芯の直径と略等しいことにより、静電容量と信号歪とが低減されるステップ、並びに
光検知器から、光検知器の出力に接続された二段増幅器システムに電気信号を送信するステップであって、光検知器及び二段増幅器獅子テムが光検知器の出力に接続されて光受信機を形成し、光受信機の感度の値が約−３２デシベルミリワット以下であるステップ
を含む方法。
【請求項１１】
光検知器に連結された第２のポートと光学スプリッタに連結された第３のポートとを有する光学スプリッタの第１のポートにおいて第１の光学信号を受信すると、第１の光学信号を第２のポートに送信するステップ
をさらに含む請求項１０に記載の方法。
【請求項１２】
第３のポートにおいて光送信機から第２の光学信号を受信すると、第２の光学信号を第１のポートに送信し、バイアス電流と変調電流とを発光ダイオードに送り、且つ発光ダイオードによって第２の光学信号を生成するステップ
をさらに含む請求項１１に記載の方法。
【請求項１３】
略平面絶縁構造、
第１のポートと、略平面絶縁構造の第１の表面上に位置する第２のポートと、略平面絶縁構造の第２の表面上に位置する第３のポートとを有する光学スプリッタであって、第１のポートで第１の光学信号を受信し、第１のポートで受信した第１の光学信号を第２のポートへ送信し、且つ第３のポートで受信した第２の光学信号を第１のポートへ送信する光学スプリッタ、
略平面絶縁構造の第１の表面上に位置して第２のポートに連結される光検知器、並びに
略平面絶縁構造の第２の表面上に位置して、第３のポートに連結される光送信機であって、該光検知機が該光送信機の略反対側に位置した光送信機
を備えた装置。
【請求項１４】
光検知器及び光送信機が略平面絶縁構造に直接接続されている、請求項１３に記載の装置。
【請求項１５】
第１のハウジングが第１の構造によって略平面絶縁構造に接続されており、且つ第２のハウジングが、光送信機のヒートシンクとして機能する第２の構造によって略平面絶縁体に接続されている、請求項１３に記載の装置。
【請求項１６】
光検知器の出力に接続された入力を有し、且つ第１のハウジング内に配置されている第１の増幅器、並びに
第１の増幅器の出力に接続された入力を有し、且つ第１のハウジングの外側で略平面絶縁構造の表面上に位置する第２の増幅器
をさらに備えている、請求項１５に記載の装置。
【請求項１７】
光検知器の出力に接続された入力を有し、且つ第１のハウジングの外側で略平面絶縁構造の表面上に位置する第１の増幅器、並びに
第１の増幅器の出力に接続された入力を有し、且つ第１のハウジングの外側で略平面絶縁構造の表面上に位置する第２の増幅器
をさらに備えている、請求項１５に記載の装置。
【請求項１８】
光送信機が発光ダイオードと増幅器とを含んでおり、増幅器が発光ダイオードにバイアス電流と変調電流とを送るように構成されている、請求項１３に記載の装置。
【請求項１９】
光ファイバが第１の光ファイバであり、光検知器が第２の光ファイバ上で第１の光学信号を受信するように構成されており、且つ光検知器の入力表面の直径が第２の光ファイバの芯の直径に略等しい、請求項１３に記載の装置。
【手続補正２】
【補正対象書類名】明細書
【補正対象項目名】０１６４
【補正方法】変更
【補正の内容】
【０１６４】
種々の有利な実施形態の説明は、例示及び説明を目的として提示されたのであって、包括的なものであること、又は開示された形態に実施形態を限定することを意図していない。多数の修正及び変形が可能であることは当業者には明らかであろう。さらに、種々の有利な実施形態は、他の有利な実施形態とは異なる利点を提供する。選択された一又は複数の実施形態は、実施形態の原理と現実的な用途を最もよく説明するため、並びに考慮される特定の用途に適した様々な変形例と共に種々の実施形態の開示内容を当業者が理解できるように、選ばれ、説明されている。
また、本願は以下に記載する態様を含む。
（態様１）
光送信機、
光ファイバから光学信号を受信する光検知器であって、光ファイバの芯の直径と略等しい直径の入力表面を有することにより、静電容量及び信号歪が小さい光検知器、
第１のポートと、光ファイバによって光検知器に連結された第２のポートと、光送信機に連結された第３のポートとを有する光学スプリッタであって、第１のポートで第１の光学信号を受信し、第１の光学信号を第２のポートへ送信し、且つ第３のポートで受信した第２の光学信号を第１のポートへ送信する光学スプリッタ、並びに
光検知器の出力に接続された二段増幅器システム
を備えた装置。
（態様２）
光検知器と、光検知器の出力に接続された二段増幅器システムとが光受信機を形成しており、光受信機の感度の値が約−３２デシベルミリワット以下である、態様１に記載の装置。
（態様３）
光学スプリッタが発光ダイオードと増幅器とを含み、増幅器が発光ダイオードにバイアス電流と変調電流とを送る、態様１に記載の装置。
（態様４）
発光ダイオードが少なくとも平均約１ミリワットの光強度を有する信号を生成し、この信号が光ファイバに連結される、態様３に記載の装置。
（態様５）
発光ダイオードが、約６５０ナノメートル、約５００ナノメートル、及び約４５０ナノメートルから選択された一つの波長を有する信号を発信する、態様３に記載の装置。
（態様６）
光学スプリッタが第２の光学信号を第３のポートに送信する、態様１に記載の装置。
（態様７）
光ファイバが第１の光ファイバであり、第１のポートが第２の光ファイバを受けるように構成されている、態様１に記載の装置。
（態様８）
第１の光ファイバ及び第２の光ファイバが、プラスチック光ファイバ及びガラス光学ファイバから選択される一つである、態様７に記載の装置。
（態様９）
光検知器が、ｎ型層の上の真性層の上にｐ型層を有するダイオード、及び光子を検知するように構成されたショットキーバリアダイオードから選択される一つである、態様１に記載の装置。
（態様１０）
二段増幅器システムが、制限増幅器に接続された相互インピーダンス増幅器を含んでいる、態様１に記載の装置。
（態様１１）
光検知器と、光検知器の出力に接続された二段増幅器システムとが光受信機を形成しており；光受信機の感度の値が約−３２デシベルミリワット以下であり；光送信機が発光ダイオードと増幅器とを含んでおり；増幅器がバイアス電流と変調電流とを発光ダイオードに送るように構成されており；発光ダイオードが少なくとも平均約１ミリワットの光強度を有する信号を生成し；信号が光ファイバに連結されており；発光ダイオードが、約６５０ナノメートル、約５００ナノメートル、及び約４５０ナノメートルから選択された一つの波長を有する信号を発信し；光送信機が第３のポートに第２の光学信号を送信するように構成されており；光ファイバが第１の光ファイバであり；第１のポートが第２の光ファイバを受けるように構成されており；第１の光ファイバ及び第２の光ファイバが、プラスチック光ファイバ及びガラス光学繊維から選択された一つであり；光検知器が、ｎ型層の上の真性層の上にｐ型層を有するダイオード、及び光子を検知するように構成されたショットキーバリアダイオードから選択された一つであり；且つ二弾指揮増幅器システムが、制限増幅器に接続された相互インピーダンス増幅器を含んでいる、態様１に記載の装置。
（態様１２）
プラスチック光ファイバから光学信号を受信する光検知器であって、入力表面の直径がプラスチック光ファイバの芯の直径と略等しいことにより、静電容量と信号歪とが小さい光検知器、並びに
光検知器の出力に接続されて光受信機を形成する二段増幅器システムであって、光受信機の感度の値が約−３２デシベルミリワット以下である二段増幅器システム
を備えた装置。
（態様１３）
光学信号の処理方法であって、
光検知器の入力表面において光ファイバから第１の光学信号を受け取るステップであって、光検知器の入力表面の直径が光ファイバの芯の直径と略等しいことにより、静電容量と信号歪とが低減されるステップ、並びに
光検知器から、光検知器の出力に接続された二段増幅器システムに電気信号を送信するステップであって、光検知器及び二段増幅器獅子テムが光検知器の出力に接続されて光受信機を形成し、光受信機の感度の値が約−３２デシベルミリワット以下であるステップ
を含む方法。
（態様１４）
光検知器に連結された第２のポートと光学スプリッタに連結された第３のポートとを有する光学スプリッタの第１のポートにおいて第１の光学信号を受信すると、第１の光学信号を第２のポートに送信するステップ
をさらに含む態様１３に記載の方法。
（態様１５）
第３のポートにおいて光送信機から第２の光学信号を受信すると、第２の光学信号を第１のポートに送信し、バイアス電流と変調電流とを発光ダイオードに送り、且つ発光ダイオードによって第２の光学信号を生成するステップ
をさらに含む態様１４に記載の方法。
（態様１６）
略平面絶縁構造、
第１のポートと、略平面絶縁構造の第１の表面上に位置する第２のポートと、略平面絶縁構造の第２の表面上に位置する第３のポートとを有する光学スプリッタであって、第１のポートで第１の光学信号を受信し、第１のポートで受信した第１の光学信号を第２のポートへ送信し、且つ第３のポートで受信した第２の光学信号を第１のポートへ送信する光学スプリッタ、
略平面絶縁構造の第１の表面上に位置して第２のポートに連結される光検知器、並びに
略平面絶縁構造の、第１の表面の略反対側の第２の表面上に位置して第３のポートに連結される光送信機
を備えた装置。
（態様１７）
光検知器及び光送信機が略平面絶縁構造に直接接続されている、態様１６に記載の装置。
（態様１８）
第１のハウジングが第１の構造によって略平面絶縁構造に接続されており、且つ第２のハウジングが、光送信機のヒートシンクとして機能する第２の構造によって略平面絶縁体に接続されている、態様１６に記載の装置。
（態様１９）
光検知器の出力に接続された入力を有し、且つ第１のハウジング内に配置されている第１の増幅器、並びに
第１の増幅器の出力に接続された入力を有し、且つ第１のハウジングの外側で略平面絶縁構造の表面上に位置する第２の増幅器
をさらに備えている、態様１８に記載の装置。
（態様２０）
光検知器の出力に接続された入力を有し、且つ第１のハウジングの外側で略平面絶縁構造の表面上に位置する第１の増幅器、並びに
第１の増幅器の出力に接続された入力を有し、且つ第１のハウジングの外側で略平面絶縁構造の表面上に位置する第２の増幅器
をさらに備えている、態様１８に記載の装置。
（態様２１）
光送信機が発光ダイオードと増幅器とを含んでおり、増幅器が発光ダイオードにバイアス電流と変調電流とを送るように構成されている、態様１６に記載の装置。
（態様２２）
光ファイバが第１の光ファイバであり、光検知器が第２の光ファイバ上で第１の光学信号を受信するように構成されており、且つ光検知器の入力表面の直径が第２の光ファイバの芯の直径に略等しい、態様１６に記載の装置。
（態様２３）
光学スプリッタが、第１の範囲の波長を有する第１の光学信号を通過させて、第１のポート及び第２のポートのうちの一方により受信させることができるように構成されたフィルタを有し、且つこのフィルタが、さらに、第２の範囲の波長を有する第２の光学信号を反射させて第１のポート及び第２のポートのうちの一方により受信させるように構成されている、態様１６に記載の装置。